(57)【要約】【課題】後ドレンパンによるドレン水の排出性能の維持、後ドレンパンの延出面部の変形防止、後ドレンパンの下方に形成する送風路のケーシングの結露防止を図る。【解決手段】本実施形態の空気調和機の室内機によれば、室内機本体を構成する後本体は、後側熱交換器部に下方から対向する底面部と、底面部から送風ファンと熱交換器との間に延びる延出面部と、を有する後ドレンパンと、後ドレンパンの延出面部から下方に向かって延出する連設面部と、延出面部のうち後側熱交換器部側に対向する面に設けられ、延出面部と底面部との境界線まで延びている熱交換器側リブと、延出面部及び連設面部のうち送風ファン側に対向する面に設けられる送風ファン側リブと、延出面部及び連設面部のうち送風ファン側リブが設けられている部分を覆うことにより当該部分に空間を形成する背面側ファンケーシング部と、を備える。【選択図】図１
2016080326.tif 000002
【特許請求の範囲】
【請求項１】
吸込み口及び吹出し口を備え、前面パネル及び後本体から構成される室内機本体と、前記吸込み口と前記吹出し口とを連通する通風路に設けられる熱交換器及び送風ファンと、を具備した空気調和機の室内機において、
前記熱交換器は、上部から後方下部に向かって傾斜する後側熱交換器部を備え、
前記後本体は、
前記後側熱交換器部に下方から対向する底面部と、この底面部から前記送風ファンと前記熱交換器との間に延びる延出面部と、を有する後ドレンパンと、
前記後ドレンパンの前記延出面部から下方に向かって延出する連設面部と、
前記延出面部のうち前記熱交換器の後側熱交換器部側に対向する面に設けられ、前記延出面部と前記底面部との境界線まで延びている熱交換器側リブと、
前記延出面部及び前記連設面部のうち前記送風ファン側に対向する面に設けられる送風ファン側リブと、
前記延出面部及び前記連設面部のうち前記送風ファン側リブが設けられている部分を覆うことにより当該部分に空間を形成する背面側ファンケーシング部と、
を備える空気調和機の室内機。
【請求項２】
吸込み口及び吹出し口を備え、前面パネル及び後本体から構成される室内機本体と、前記吸込み口と前記吹出し口とを連通する通風路に設けられる熱交換器及び送風ファンと、を具備した空気調和機の室内機において、
前記熱交換器は、上部から後方下部に向かって傾斜する後側熱交換器部を備え、
前記後本体は、
上後本体部と下後本体部とを組み合わせた構成であり、
前記上後本体部は、
前記後側熱交換器部に下方から対向する底面部と、この底面部から前記送風ファンと前記熱交換器との間に延びる延出面部と、を有する後ドレンパンと、
前記後ドレンパンの前記延出面部から下方に向かって延出する連設面部と、
前記延出面部のうち前記熱交換器の後側熱交換器部側に対向する面に設けられ、前記延出面部と前記底面部との境界線まで延びている熱交換器側リブと、
前記延出面部及び前記連設面部のうち前記送風ファン側に対向する面に設けられる送風ファン側リブと、
を備え、
前記下後本体部は、
前記延出面部及び前記連設面部のうち前記送風ファン側リブが設けられている部分を覆うことにより当該部分に空間を形成する背面側ファンケーシング部
を備える空気調和機の室内機。
【請求項３】
前記背面側ファンケーシング部のうち前記延出面部及び前記連設面部に対向する面に設けられた背面側ファンケーシング部側リブをさらに備える請求項１又は２に記載の空気調和機の室内機。
【請求項４】
前記送風ファン側リブと前記背面側ファンケーシング部側リブとが交互に配列されている請求項３に記載の空気調和機の室内機。
【請求項５】
前記背面側ファンケーシング部は、前記連設面部の後側から固定されている請求項１から４の何れか１項に記載の空気調和機の室内機。
【発明の詳細な説明】
【技術分野】
【０００１】
本発明の実施形態は、空気調和機の室内機に関する。
【背景技術】
【０００２】
空気調和機を構成する室内機において、例えば特許文献１に開示されているように、室内機本体の主として後部を構成する後本体には、前側熱交換器部と後側熱交換器部が側面視で逆Ｖ字状に形成された前後熱交換器部のそれぞれ下方部分に、当該熱交換器に発生するドレン水を受ける前ドレンパンと後ドレンパンが設けられる。このうち、特に後ドレンパンは、後側熱交換器部に下方から対向する底面部と、この底面部から送風ファンと後側熱交換器部との間に延びる延出面部とを有する。後側熱交換器部から後ドレンパンに滴下したドレン水は、当該後ドレンパンの底面部上を流れる。そして、後ドレンパンのドレン水は前ドレンパンに送られ、前ドレンパンに集められたドレン水は、排水管により外部に排出される。また、後本体において、後ドレンパンが有する延出面部は、送風ファンと後側熱交換器部との間に延びている。そのため、後側熱交換器部から滴下するドレン水が送風ファン側に漏れてしまうことが回避される。さらに後本体は、送風ファンと後側熱交換器部との間に延出する延出面部の前面側から下方の吹出し口に向かって、送風路のケーシングを形成させている。
【０００３】
ところで、この種のドレンパンを構成させた後本体は、一般的に樹脂により構成されるものであり、単なる平面のみの形状であると、延出面部の幅方向に反り、撓みなどの変形が生じやすく、これにより送風性能の低下や送風ファン側への水漏れ防止性能の低下を招く。そのため、従来では、延出面部にリブを設けることで、当該延出面部の変形を回避するようにしている。ところが、延出面部にリブを設けると、そのリブが底面部上のドレン水の流れを堰き止めてしまうおそれがあり、熱交換器から発生するドレン水の排出性能が低下する。
【０００４】
また、後本体の後ドレンパンの下方に形成する送風路のケーシングは、背面側が、室内側に露出される。そのため、冷房運転時に吹出される空気で冷やされると、この表面に接する室内空気により結露が生じるため、断熱材などを張って、結露を防止するようにしていた。
【先行技術文献】
【特許文献】
【０００５】
【特許文献１】特開２００５−１８０８１４号公報
【発明の概要】
【発明が解決しようとする課題】
【０００６】
本実施形態は、後本体の後部に設けられる後ドレンパンによる熱交換器からのドレン水の排出性能を維持しつつ、当該後ドレンパンが有する延出面部の変形を防止するとともに、この後ドレンパンの下方に形成する送風路のケーシングのうち背面側の室内側に露出する部分の結露防止を図ることができる後本体構造を備えた空気調和機の室内機を提供する。
【課題を解決するための手段】
【０００７】
本実施形態の空気調和機の室内機は、吸込み口及び吹出し口を備え、前面パネル及び後本体から構成される室内機本体と、前記吸込み口と前記吹出し口とを連通する通風路に設けられる熱交換器及び送風ファンと、を具備し、熱交換器は、上部から後方下部に向かって傾斜する後側熱交換器部を備え、後本体は、後側熱交換器部に下方から対向する底面部と、底面部から送風ファンと熱交換器との間に延びる延出面部と、を有する後ドレンパンと、後ドレンパンの延出面部から下方に向かって延出する連設面部と、延出面部のうち熱交換器の後側熱交換器部側に対向する面に設けられ、延出面部と底面部との境界線まで延びている熱交換器側リブと、延出面部及び連設面部のうち送風ファン側に対向する面に設けられる送風ファン側リブと、延出面部及び連設面部のうち送風ファン側リブが設けられている部分を覆うことにより当該部分に空間を形成する背面側ファンケーシング部と、を備えている。
【０００８】
また、本実施形態の空気調和機の室内機は、吸込み口及び吹出し口を備え、前面パネル及び後本体から構成される室内機本体と、前記吸込み口と前記吹出し口とを連通する通風路に設けられる熱交換器及び送風ファンと、を具備し、熱交換器は、上部から後方下部に向かって傾斜する後側熱交換器部を備え、後本体は、上後本体部と下後本体部とを組み合わせた構成であり、上後本体部は、後側熱交換器部に下方から対向する底面部と、この底面部から送風ファンと熱交換器との間に延びる延出面部と、を有する後ドレンパンと、後ドレンパンの延出面部から下方に向かって延出する連設面部と、延出面部のうち熱交換器の後側熱交換器部側に対向する面に設けられ、延出面部と底面部との境界線まで延びている熱交換器側リブと、延出面部及び連設面部のうち送風ファン側に対向する面に設けられる送風ファン側リブと、を備え、下後本体部は、延出面部及び連設面部のうち送風ファン側リブが設けられている部分を覆うことにより当該部分に空間を形成する背面側ファンケーシング部を備えている。
【図面の簡単な説明】
【０００９】
【図１】一実施形態に係る空気調和機の室内機の構成例を概略的に示す縦断面図
【図２】後本体を示す斜視図
【図３】後本体を上後本体部と下後本体部とに分解した状態を示す斜視図
【図４】後本体の縦断面図
【図５】上後本体部の縦断面図
【図６】下後本体部の縦断面図
【図７】上後本体部の一部を上側から斜めに見た図
【図８】上後本体部の一部を前側から斜めに見た図
【図９】下後本体部の一部を後側から斜めに見た図
【図１０】空気吹出し口の後壁部の構造を示す横断面図
【図１１】後本体を後側から斜めに見た図
【発明を実施するための形態】
【００１０】
以下、空気調和機の室内機に係る一実施形態について図面を参照しながら説明する。図１に例示する空気調和機の室内機本体１０は、上下方向の寸法に対して幅方向の寸法が長い横長状をなす。そして、室内機本体１０は、その外殻筐体を成す前面パネル１１と内部構造体を成す後本体１００とから構成されており、内部に、熱交換器１２や送風ファン１３などを備えている。送風ファン１３は、いわゆる横流ファンで構成されており、室内機本体１０の長手方向に沿う軸を中心に回転可能に設けられている。また、室内機本体１０の上部には、室内の空気を室内機本体１０内に吸い込むための空気吸込み口１４が設けられている。また、室内機本体１０の下部には、室内機本体１０内に吸い込まれた空気を室内に吹き出すための空気吹出し口１５が設けられている。
【００１１】
室内機本体１０の内部には、これら空気吸込み口１４から空気吹出し口１５にわたって通風路１６が形成されている。熱交換器１２及び送風ファン１３は、この通風路１６内に配置されている。室内機は、送風ファン１３による送風作用により、室内の空気を空気吸込み口１４から吸い込む。そして、空気吸込み口１４から吸い込まれた空気は、通風路１６内を流れる過程で熱交換器１２によって熱交換され、周知の暖房運転時では温風として、周知の冷房運転時では冷風として空気吹出し口１５から室内に吹き出される。空気吹出し口１５には、空気吹出し口１５から吹き出される空気の方向を上下方向に調整するための図２及び図３に示す上下風向ルーバ１７が回動可能に設けられる。また、空気吹出し口１５には、空気吹出し口１５から吹き出される空気の方向を左右方向に調整するための図示しない左右風向ルーバが回動可能に設けられる。
【００１２】
熱交換器１２は、外側の面が空気吸込み口１４側の通風路１６に対向し、内側の面が送風ファン１３側の通風路１６に対向している。そして、熱交換器１２は、側面視で逆Ｖ字状に形成されていて、上端部より前側に側面視「く」字状に屈曲形成される前側熱交換器部１２ａと、後方に傾斜した状態で直状に形成される後側熱交換器部１２ｂとから構成されている。この後側熱交換器部１２ｂは、室内機本体１０内において、送風ファン１３の上部から後方下部に向かって傾斜している。
【００１３】
前面パネル１１の内部側は、空気吹出し口１５を有する後本体１００により構成されている。図２〜図６に示すように、後本体１００は、上後本体部１０１と下後本体部１０２とを組み合わせた構成となっている。上後本体部１０１は、送風ファン１３が回転可能に収容されるファン収容部１０３と、ファン収容部１０３の前部に、底面部、前面部、後面部を備えた前ドレンパン１０４を有している。この前ドレンパン１０４の後面部の背面側先端部は、送風ファン１３のノーズ１０４ａを構成し、ファン収容部１０３に収容される送風ファン１３の周面から所定の間隔を有するように設けられている。また、上後本体部１０１は、ファン収容部１０３の後部に後ドレンパン１０５を有する。
【００１４】
図１〜図５に示すように、後ドレンパン１０５は、底面部１０６と、前面部１０７と、後面部１０８と、連設面部１０９と、を有する。底面部１０６は、熱交換器１２の後側部熱交換器部１２ｂの下端部に下方から対向している。また、底面部１０６は、後側熱交換器部１２ｂの下方において、後側から前側に向かって下降するように傾斜している。また、底面部１０６の長手方向の端部には、図示しない排水口が設けられている。
【００１５】
前面部１０７は、延出面部の一例であり、底面部１０６のうち送風ファン１３側となる前端部から上方に向かって延出している。即ち、前面部１０７は、底面部１０６の前端部から送風ファン１３と後側熱交換器部１２ｂとの間に向かって傾斜して延びている。後面部１０８は、底面部１０６のうち送風ファン１３とは反対側となる後端部から上方に向かって延出している。即ち、後面部１０８は、後側熱交換器部１２ｂよりも後側において、底面部１０６の後端部から略垂直に延びている。後ドレンパン１０５は、後側熱交換器部１２ｂの下端部を底面部１０６、前面部１０７、後面部１０８により囲むようにして設けられている。
【００１６】
後ドレンパン１０５は、前面部１０７と後面部１０８とに挟まれる底面部１０６上をドレン水の水路とする構成であり、後側熱交換器部１２ｂから直接的に底面部１０６に滴下するドレン水、及び、後側熱交換器部１２ｂから前面部１０７に滴下して底面部１０６に流れ落ちるドレン水を図示しない端部の排水通路から前ドレンパン１０４に導く。前ドレンパン１０４に導かれたドレン水は、当該前ドレンパン１０４に接続した図示しない排水管から排水するようになっている。なお、前ドレンパン１０４は、特に前側熱交換器部１２ａから滴下したドレン水も図示しない排水管から排水するようになっている。
【００１７】
前面部１０７は、先端部１０７ａと基端部１０７ｂとの間に湾曲部１０７ｃを有している。湾曲部１０７ｃは、ファン収容部１０３に収容された送風ファン１３の周面に沿うようして湾曲する形状となっている。なお、先端部１０７ａは、送風ファン１３の周面に沿っておらず、送風ファン１３の周部から若干離れる方向に向かって直線状に延びている。また、基端部１０７ｂは、送風ファン１３の周面に沿っておらず、底面部１０６の前端部から湾曲部１０７ｃに向かって直線状に延びている。
【００１８】
前面部１０７のうち先端部１０７ａと湾曲部１０７ｃとの境界部分は、いわゆる「巻始め」と称されている。仮に前面部１０７が変形して送風ファン１３の周面と「巻始め」部分との間隔に変動が生じると、送風ファン１３の送風性能の低下や送風ファン１３側への水漏れ防止性能の低下を招く。即ち、「巻始め」部分が送風ファン１３に近付き過ぎると送風時の音が大きくなり、逆に、「巻始め」部分が送風ファン１３から遠ざかり過ぎると、送風量が低下するといった不具合が起こり得る。また、「巻始め」部分が送風ファン１３から遠ざかり過ぎると、熱交換器１２の後側熱交換器部１２ｂから後ドレンパン１０５に滴下したドレン水が前面部１０７を超えて送風ファン１３側に漏れてしまうおそれがある。
【００１９】
そのため、図７にも示すように、前面部１０７のうち後側熱交換器部１２ｂに対向する面には、複数の熱交換器側リブ２０１が設けられており、これにより、前面部１０７の変形が回避されるようになっている。これら熱交換器側リブ２０１は、送風ファン１３の周方向に沿って直線状に延びているが、その下端は、底面部１０６まで延びていない。即ち、熱交換器側リブ２０１は、前面部１０７と底面部１０６との境界線Ｌまで延びており、この境界線Ｌを越えて底面部１０６には至っていない。そのため、底面部１０６上には、熱交換器側リブ２０１が設けられていない構成となっている。よって、底面部１０６上の水路が熱交換器側リブ２０１により遮られない構成となっている。
【００２０】
連設面部１０９は、底面部１０６の前端部から下方に向かって延出している。この連設面部１０９は、後ドレンパン１０５の前面部１０７の一部である基端部１０７ｂから下方に向かって連なるようにして設けられている。そして、図８にも示すように、前面部１０７の基端部１０７ｂのうち送風ファン１３に対向する面、及び、連設面部１０９のうち送風ファン１３に対向する面には、複数の送風ファン側リブ２０２が設けられている。これら送風ファン側リブ２０２は、送風ファン１３の周方向に沿って直線状に延びている。また、送風ファン側リブ２０２は、前面部１０７の基端部１０７ｂのうち送風ファン１３に対向する面から連設面部１０９のうち送風ファン１３に対向する面にわたって、分割されることなく連続して設けられている。
【００２１】
上後本体部１０１は、その前後方向のほぼ中央部に開口部１１０を形成している。この開口部１１０は、上後本体部１０１の長手方向に沿う長尺な矩形状をなしている。また、開口部１１０の前側の辺は、前ドレンパン１０４の後面部の背面側先端部を形成するノーズ１０４ａにより構成されている。一方、開口部１１０の後側の辺は連設面部１０９の下端により構成されている。
【００２２】
図６にも示すように、下後本体部１０２は、ベース部１２１及び送風ファン１３の吹出し側背面通路壁となる背面側ファンケーシング部１２２を有する。ベース部１２１の前後方向のほぼ中央部には、空気吹出し口１５を形成するための開口部１２３が設けられている。この開口部１２３内には、上下風向ルーバ１７や左右風向ルーバが設けられるようになっている。この開口部１２３は、下後本体部１０２の長手方向に沿う長尺な矩形状をなしている。そして、この開口部１２３が上後本体部１０１の開口部１１０に挿通されることにより、空気吹出し口１５の特に先端側が形成されるようになっている。
【００２３】
下後本体部１０２の背面側ファンケーシング部１２２は、ベース部１２１の開口部１２３の後端から上方に向かって湾曲して延びている。この背面側ファンケーシング部１２２は、上後本体部１０１の前面部１０７の基端部１０７ｂ及び連設面部１０９、つまり、送風ファン側リブ２０２が設けられている上後本体部１０１の前面部分に接合して当該部分を覆うことにより、当該部分に空間を形成する。この場合、図９にも示すように、下後本体部１０２の背面側ファンケーシング部１２２は、上後本体部１０１の前面部１０７の基端部１０７ｂ及び連設面部１０９に対向する裏面側に複数の背面側ファンケーシング部側リブ２０３を備えている。そして、これら背面側ファンケーシング部側リブ２０３は、隣り合う２つの送風ファン側リブ２０２間にそれぞれ組み込まれるように設けられている。
【００２４】
下後本体部１０２の背面側ファンケーシング部１２２によって上後本体部１０１の前面部１０７の基端部１０７ｂ及び連設面部１０９の前面側が覆われることにより、前面部１０７の基端部１０７ｂ及び連設面部１０９と背面側ファンケーシング部１２２との間においては、図１０に示すように、送風ファン側リブ２０２と背面側ファンケーシング部側リブ２０３とが交互に、且つ、互いに間隔を有した状態で配列されるようになっている。これにより、前面部１０７の基端部１０７ｂ及び連設面部１０９と背面側ファンケーシング部１２２との間には、送風ファン側リブ２０２及び背面側ファンケーシング部側リブ２０３により仕切られた複数の空間が形成される。なお、このようにして形成される空間は、完全に気密な状態である必要はなく、空気を保持できる程度にある程度閉塞された空間であればよい。
【００２５】
図１１に示すように、下後本体部１０２と上後本体部１０１とは、下後本体部１０２の背面側ファンケーシング部１２２を、上後本体部１０１の連設面部１０９の後側から、この場合、ねじ１３１によるねじ止めにより固定されるようになっている。そのため、背面側ファンケーシング部１２２の表面部分においては、例えばねじなどといった固定用の部材が突出することがなく、当該部分を滑らかな湾曲面として形成することができる。なお、背面側ファンケーシング部１２２は、連設面部１０９の後側から、例えば溶着により固定する構成としてもよい。即ち、背面側ファンケーシング部１２２を固定するための手段は、当該背面側ファンケーシング部１２２を連設面部１０９の後側から固定する手段であれば、種々の手段を採用することができる。
【００２６】
以上に説明した室内機本体１０の構成によれば、空気吹出し口１５の後壁部となる背面側ファンケーシング部１２２の裏面側は、上後本体部１０１の前面部１０７の基端部１０７ｂ及び連設面部１０９とによる二重構造となっている。さらに、二重構造を形成する後面と前面との間に空間を有した構成となっている。従って、この構成によれば、空気吹出し口１５の後壁部の強度を向上することができるとともに、空気吹出し口１５の後壁部に断熱機能を付与することができる。そのため、図１及び図４に示すように、空気吹出し口１５の後壁部の背面に設けられる断熱材１４１の厚さを薄くする、あるいは、断熱材１４１を不要とすることができる。
【００２７】
また、本実施形態に係る室内機本体１０によれば、後ドレンパン１０５の前面部１０７のうち熱交換器１２の後側熱交換器部１２ｂに対向する面に設けられる熱交換器側リブ２０１は、前面部１０７と底面部１０６との境界線まで延びており、ドレン水の水路となる底面部１０６上には至っていない。この構成によれば、底面部１０６上を流れるドレン水が熱交換器側リブ２０１により遮られてしまうことを回避することができる。従って、熱交換器１２の後側熱交換器部１２ｂから発生するドレン水の排出性能を維持しつつ、後ドレンパン１０５の前面部１０７の変形を防止することができる。また、後ドレンパン１０５の変形が防止されることにより、送風性能の低下や、後ドレンパン１０５から送風ファン１３側への水漏れ性能の低下を回避することができる。
【００２８】
ところで、前面部１０７を補強する熱交換器側リブ２０１が底面部１０６上に至っていない構成では、特に、前面部１０７と底面部１０６との境界線Ｌ付近における後ドレンパン１０５の強度が弱くなるおそれがある。室内機本体１０によれば、前面部１０７及び連設面部１０９のうち送風ファン１３に対向する面、つまり、熱交換器側リブ２０１とは反対側となる面に複数の送風ファン側リブ２０２を備えている。この構成によれば、前面部１０７と底面部１０６との境界線Ｌ付近を送風ファン１３側から補強することができる。そのため、熱交換器側リブ２０１を前面部１０７と底面部１０６との境界線Ｌまでに止めたことによる後ドレンパン１０５の強度の弱まりを補うことができる。
【００２９】
また、室内機本体１０によれば、前面部１０７及び連設面部１０９のうち送風ファン側リブ２０２が設けられている部分を背面側ファンケーシング部１２２により覆うことで、当該部分に空間を形成する二重構造を採用している。この構成によれば、二重構造による強度の向上を図ることができ、また、空間による断熱効果を期待することができる。
【００３０】
さらに、室内機本体１０によれば、背面側ファンケーシング部１２２は、前面部１０７及び連設面部１０９に対向する面に複数の背面側ファンケーシング部側リブ２０３を備えている。この構成によれば、空気吹出し口１５の後壁部の表面を形成する背面側ファンケーシング部１２２の強度を向上することができ、空気吹出し口１５の表面に、例えば亀裂や割れなどといった破損が生じてしまうことを回避することができる。
【００３１】
さらに、室内機本体１０によれば、空気吹出し口１５の後壁部を構成する前面と後面との間においては、送風ファン側リブ２０２と背面側ファンケーシング部側リブ２０３とが交互に配列されている。この構成によれば、空気吹出し口１５の後壁部内に複数の空間を形成することができ、且つ、各空間を小さくすることができる。これにより、空間による断熱効果を一層向上することができる。
【００３２】
さらに、室内機本体１０によれば、背面側ファンケーシング部１２２は、連設面部１０９の後側から固定されている。この構成によれば、空気吹出し口１５の後壁部の表面を、固定手段による突起などが存在しない滑らかな湾曲面とすることができ、送風性能の低下を回避することができる。
【００３３】
本実施形態に係る空気調和機の室内機は、吸込み口及び吹出し口を備え、前面パネル及び後本体から構成される室内機本体と、前記吸込み口と前記吹出し口とを連通する通風路に設けられる熱交換器及び送風ファンと、を具備し、熱交換器は、上部から後方下部に向かって傾斜する後側熱交換器部を備え、後本体は、後側熱交換器部に下方から対向する底面部と、底面部から送風ファンと熱交換器との間に延びる延出面部と、を有する後ドレンパンと、後ドレンパンの延出面部から下方に向かって延出する連設面部と、延出面部のうち熱交換器の後側熱交換器部側に対向する面に設けられ、延出面部と底面部との境界線まで延びている熱交換器側リブと、延出面部及び連設面部のうち送風ファン側に対向する面に設けられる送風ファン側リブと、延出面部及び連設面部のうち送風ファン側リブが設けられている部分を覆うことにより当該部分に空間を形成する背面側ファンケーシング部と、を備えている。
【００３４】
また、本実施形態に係る空気調和機の室内機は、吸込み口及び吹出し口を備え、前面パネル及び後本体から構成される室内機本体と、前記吸込み口と前記吹出し口とを連通する通風路に設けられる熱交換器及び送風ファンと、を具備し、熱交換器は、上部から後方下部に向かって傾斜する後側熱交換器部を備え、後本体は、上後本体部と下後本体部とを組み合わせた構成であり、上後本体部は、後側熱交換器部に下方から対向する底面部と、この底面部から送風ファンと熱交換器との間に延びる延出面部と、を有する後ドレンパンと、後ドレンパンの延出面部から下方に向かって延出する連設面部と、延出面部のうち熱交換器の後側熱交換器部側に対向する面に設けられ、延出面部と底面部との境界線まで延びている熱交換器側リブと、延出面部及び連設面部のうち送風ファン側に対向する面に設けられる送風ファン側リブと、を備え、下後本体部は、延出面部及び連設面部のうち送風ファン側リブが設けられている部分を覆うことにより当該部分に空間を形成する背面側ファンケーシング部を備えている。
【００３５】
このような構成を採用する本実施形態に係る空気調和機の室内機によれば、後ドレンパンによる熱交換器からのドレン水の排出性能を維持しつつ、後ドレンパンの延出面部の変形を防止することができる。さらに、このドレンパンの下方に形成する送風路のケーシングのうち背面側の室内側に露出する部分の結露防止を図ることができる。
【００３６】
本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００３７】
図面中、１０は空気調和機の室内機本体、１１は室内機の前面パネル、１２は熱交換器、１２ｂは後側熱交換器部、１３は送風ファン、１００は後本体、１０１は上後本体部、１０２は下後本体部、１０５は後ドレンパン、１０６は底面部、１０７は前面部（延出面部）、１０９は連設面部、１２２は背面側ファンケーシング部、２０１は熱交換器側リブ、２０２は送風ファン側リブ、２０３は背面側ファンケーシング部側リブを示す。
【図１】
2016080326.tif 000003
【図２】
2016080326.tif 000004
【図３】
2016080326.tif 000005
【図４】
2016080326.tif 000006
【図５】
2016080326.tif 000007
【図６】
2016080326.tif 000008
【図７】
2016080326.tif 000009
【図８】
2016080326.tif 000010
【図９】
2016080326.tif 000011
【図１０】
2016080326.tif 000012
【図１１】
2016080326.tif 000013